(57)【特許請求の範囲】
【請求項１】
用紙の有無を検出する検出部が設けられた複数の排紙トレイと、
用紙が排紙される排紙トレイを示す情報及び排紙予定の用紙枚数を含むジョブ情報をジョブ毎に記憶する記憶部と、
各ジョブが指定された排紙トレイに排紙可能か否かを示す情報を含む内容を表示する表示部と、
前記排紙トレイ毎に設けられた前記検出部からの検出信号と、前記記憶部に記憶されている各ジョブのジョブ情報の排紙トレイを示す情報及び排紙予定の用紙枚数と、に基づいて、実行される際に指定された排紙トレイに排紙不可となるジョブを判定し、当該ジョブについては指定された排紙トレイへの排紙が不可であることを前記表示部に表示させ、さらに、当該ジョブの実行時に排紙不可が解消している場合には当該ジョブを実行し、排紙不可が解消していない場合には当該ジョブを実行しないように制御する制御部と、
を備える画像形成装置。
【請求項２】
前記ジョブ情報は、実行予定順番を含み、
前記表示部は、各ジョブが指定された排紙トレイに排紙可能か否かを示す情報を含む内容を実行予定順番で表示し、
前記制御部は、
前記検出部からの検出信号が変化した場合、
新たなジョブのジョブ情報が前記記憶部に記憶された場合、
前記記憶部に記憶されているジョブ情報が削除された場合、
前記記憶部に記憶されているジョブ情報の実行予定順番に変更がある場合、
のいずれかの場合において、実行される際に指定された排紙トレイに排紙不可となるジョブの判定を行なう、
請求項１に記載の画像形成装置。
【請求項３】
前記制御部は、
実行される際に指定された排紙トレイに排紙不可となるジョブに対して、当該ジョブに指定された排紙トレイを示す情報を前記表示部に表示させる、
請求項１又は２に記載の画像形成装置。
【発明の詳細な説明】
【技術分野】
【０００１】
本発明は、画像形成装置に関する。
【背景技術】
【０００２】
近年、予め設定された種類毎に用紙を格納する複数の給紙トレイを備え、ジョブを実行する際に、当該ジョブの実行に係る用紙が給紙トレイに有るか否かを判別し、当該判別結果を表示する画像形成装置がある。
【０００３】
例えば、タイプ毎に用紙を保持する複数のホルダと、ジョブに規定されているタイプの用紙を給紙して画像を形成する画像形成装置において、ジョブを実行する際に、当該ジョブの実行に使用される用紙が不足するかを判別し、また、用紙が不足する時間を表示する印刷システムが開示されている。
【特許文献１】特開２００４−３４８７１３号公報
【発明の開示】
【発明が解決しようとする課題】
【０００４】
しかしながら、従来の技術は、ジョブを実行する際に用紙を給紙する給紙トレイに格納された用紙が不足しているか否かを判別する技術であり、用紙の排紙先となる排紙トレイに用紙が排紙可能か否かを判別するものではなく、以下のような問題が生じる。
【０００５】
ジョブの予約時に当該ジョブの実行により排紙される用紙の排紙先を指定したり、予約後に排紙先を変更したり、予約されたジョブを一覧表示する画像形成装置において、前に予約されたジョブが実行されることによって、後に予約されたジョブが実行される際には、当該ジョブに指定された排紙トレイが用紙で満杯となったり、ジョブの実行途中で当該ジョブに指定された排紙トレイが用紙で満杯となったりして、用紙を積載不可となり、用紙を排紙することができなくなることからジョブの実行が停止してしまうという問題が生じている。更に、用紙が満杯となった排紙トレイから用紙を取り除き、再スタートの指示があるまでは、ジョブの実行が停止した状態であるため、稼動効率の低下を招くという問題も生じる。
【０００６】
本発明の課題は、上記問題に鑑みて、ジョブに指定された排紙トレイが排紙不可となって実行が停止されることを事前に防止して効率的に稼動させることである。
【課題を解決するための手段】
【０００７】
請求項１に記載の発明は、用紙の有無を検出する検出部が設けられた複数の排紙トレイと、用紙が排紙される排紙トレイを示す情報及び排紙予定の用紙枚数を含むジョブ情報をジョブ毎に記憶する記憶部と、各ジョブが指定された排紙トレイに排紙可能か否かを示す情報を含む内容を表示する表示部と、前記排紙トレイ毎に設けられた前記検出部からの検出信号と、前記記憶部に記憶されている各ジョブのジョブ情報の排紙トレイを示す情報及び排紙予定の用紙枚数と、に基づいて、実行される際に指定された排紙トレイに排紙不可となるジョブを判定し、当該ジョブについては指定された排紙トレイへの排紙が不可であることを前記表示部に表示させ、さらに、当該ジョブの実行時に排紙不可が解消している場合には当該ジョブを実行し、排紙不可が解消していない場合には当該ジョブを実行しないように制御する制御部と、を備える画像形成装置である。
【０００８】
請求項２に記載の発明は、請求項１に記載の画像形成装置において、前記ジョブ情報は、実行予定順番を含み、前記表示部は、各ジョブが指定された排紙トレイに排紙可能か否かを示す情報を含む内容を実行予定順番で表示し、前記制御部は、前記検出部からの検出信号が変化した場合、新たなジョブのジョブ情報が前記記憶部に記憶された場合、前記記憶部に記憶されているジョブ情報が削除された場合、前記記憶部に記憶されているジョブ情報の実行予定順番に変更がある場合、のいずれかの場合において、実行される際に指定された排紙トレイに排紙不可となるジョブの判定を行なう。
【０００９】
請求項３に記載の発明は、請求項１又は２に記載の画像形成装置において、前記制御部は、実行される際に指定された排紙トレイに排紙不可となるジョブに対して、当該ジョブに指定された排紙トレイを示す情報を前記表示部に表示させる。
【発明の効果】
【００１０】
請求項１に記載の発明によれば、ジョブが実行される際に指定された排紙トレイへの排紙が不可であることを表示することができるため、事前に判定結果に応じて排紙可となるような処置を講じさせる機会をユーザに与えることができ、ジョブに指定された排紙トレイが排紙不可となって実行が停止されることを事前に防止して効率的に稼動させることができる。
【００１１】
請求項２に記載の発明によれば、請求項１と同様の効果を得られるのは勿論のこと、検出部からの検出信号が変化した場合、新たなジョブのジョブ情報が記憶部に記憶された場合、記憶部に記憶されているジョブ情報が削除された場合、記憶部に記憶されているジョブ情報の実行予定順番に変更がある場合、のいずれかの場合、即ち、排紙トレイの状態（積載される用紙枚数）に変化が生じる恐れがある度に、実行される際に指定された排紙トレイに排紙不可となるジョブの判定結果を表示でき、事前に当該判定結果に応じて排紙可となるような処置を講じさせる機会を増やすことができ、効率的な稼動を図ることができる。
【００１２】
請求項３に記載の発明によれば、請求項１又は２と同様の効果を得られるのは勿論のこと、表示された排紙不可となる排紙トレイを示す情報に基づいて、排紙可となるような処置を講じさせやすくすることができる。
【発明を実施するための最良の形態】
【００１３】
以下、図を参照して本発明の実施の形態を詳細に説明する。
まず、構成を説明する。
図１に、本実施の形態における画像形成装置１の概略断面構成図を示す。
【００１４】
図１に示すように、画像形成装置１は、原稿から画像を読み取り、読み取った画像を用紙Ｐに画像形成したり、外部装置等から画像データを含むページデータや各画像データの画像形成条件等を含むジョブを受信し、受信したジョブに基づいて画像を用紙Ｐ上に形成するプリント部４０と、画像が形成された用紙を一時的に収容する後処理部５０等を備えたデジタル複合機である。図１に示すように、画像形成装置１は、画像読取部２０と、操作表示部３０と、プリント部４０と、後処理部５０等を備えて構成される。
【００１５】
画像読取部２０は、ＡＤＦ（Auto Document Feeder）と称される自動原稿送り部２１と読取部２２とを備える。自動原稿送り部２１の原稿トレイＴ１に載置された原稿ｄは、読取個所であるコンタクトガラスに搬送され、光学系により原稿ｄの片面又は両面の画像が読み取られ、ＣＣＤ（Charge Coupled Device）２２ａにより原稿ｄの画像が読み取られ
る。ここで、画像とは、図形や写真等のイメージデータに限らず、文字や記号等のテキストデータ等も含む意である。
【００１６】
画像読取部２０により読み取られた画像（アナログ画像信号）は、後述する画像制御基板の読取処理部１４０に出力され、読取処理部１４０においてＡ／Ｄ変換され各種画像処理が施された後、プリント部４０に出力される。
【００１７】
操作表示部３０は、ＬＣＤ（Liquid Crystal Display）３１、ＬＣＤを覆うように設けられたタッチパネル、その他図示しない操作キー群から構成され、ユーザの入力を受け付けその入力情報を制御部１１０に出力し、また、制御部１１０から入力される表示信号に従って、各種設定条件を入力するための各種設定画面や各種処理結果等を表示する。
【００１８】
また、操作表示部３０のＬＣＤ３１上には、実行中のジョブや予約されているジョブ（予約ジョブ）のジョブ情報の内容をジョブの実行予定順番で表示するジョブリスト画面（図５、図６参照）等の各種画面が表示される。
【００１９】
プリント部４０は、入力されたプリントデータに基づいて、電子写真方式の画像形成処理を行うものであり、給紙部４１、給紙搬送部４２、画像形成部４３、搬出部４４を備えて構成される。
【００２０】
給紙部４１は、複数の給紙トレイ４１ａ、給紙手段４１ｂ、手差しトレイＴ２等を備える。給紙トレイ４１ａは、給紙トレイ４１ａ毎に用紙の種類毎に予め識別された用紙Ｐが収容されており、給紙手段４１ｂによって用紙Ｐを最上部から一枚ずつ給紙搬送部４２に向けて搬送する。手差しトレイＴ２は、ユーザのニーズに合わせて様々な種類の用紙Ｐを積載可能となっており、給紙ローラによって積載された用紙Ｐを最上部から一枚ずつ給紙搬送部４２に向けて搬送する。
【００２１】
給紙搬送部４２は、給紙トレイ４１ａ又は手差しトレイＴ２から搬送された用紙Ｐを、複数の中間ローラ、レジストローラ４２ａ等を経て転写装置４３ａへと搬送する。
また、給紙搬送部４２は、搬送路切換板により、片面画像形成処理済みの用紙Ｐを両面搬送路に搬送し、再び中間ローラ、レジストローラ４２ａを経て転写装置４３ａへと搬送する。
【００２２】
画像形成部４３は、感光体ドラム、帯電装置、画像データに基づくレーザ光を出力するレーザ出力部とレーザ光を主走査方向に走査させるポリゴンミラーとを有する露光装置、現像装置、転写装置４３ａ、クリーニング部、定着装置４３ｂを備えている。具体的には、帯電装置により帯電された感光体ドラムに露光装置でレーザ光を照射して静電潜像を形成する。そして、現像装置は、静電潜像が形成された感光体ドラムの表面に帯電したトナーを付着させて静電潜像を現像する。現像装置により感光体ドラム上に形成されたトナー像は、転写装置４３ａにおいて用紙Ｐに転写される。また、用紙Ｐにトナー像が転写された後、感光体ドラムの表面の残留トナー等は、クリーニング部により除去される。
【００２３】
定着装置４３ｂは、給紙搬送部４２によって搬送された用紙Ｐに転写されたトナー像を熱定着する。定着処理された用紙Ｐは、搬出部４４の排紙ローラに挟持されて搬出口から後処理部５０へ搬送される。
【００２４】
後処理部５０は、画像が形成された用紙のソート処理を行うソート部、パンチ処理を行うパンチ部、設定された綴じ位置に用紙の束を綴じるステイプル処理を行うステイプル部、折り処理を行う折り部、断裁処理を行う断裁部等の後処理ユニットと、各種処理が施された又は施されなかった用紙が排紙されて積載される複数の排紙トレイＴ３を備える。
【００２５】
各排紙トレイＴ３には、排紙トレイＴ３への用紙の搬出口付近に設けられ、用紙の通過の有無を検出して用紙が排紙トレイＴ３に排紙されたかを検出する排紙検出センサ５１と、排紙トレイＴ３上の用紙の有無を検出する検出部としての積載検出センサ５２が設けられている。
【００２６】
図２に、画像形成装置１の制御ブロック図を示す。
図２に示すように、画像形成装置１は、本体部１ａとプリンタコントローラ１ｂと、本体部１ａに接続された後処理部５０から構成されている。画像形成装置１は、プリンタコントローラ１ｂのＬＡＮＩＦ（Local Area Network InterFace）１４を介してネットワーク３上の外部装置２と相互に情報の送受信が可能に接続されている。
【００２７】
本体部１ａは、画像読取部２０、操作表示部３０、プリント部４０、画像制御基板１００を備えて構成される。なお、図１で説明した各部と同一の構成には、同一の符号を付してその説明を省略する。
【００２８】
画像制御基板１００は、制御部１１０、不揮発メモリ１２０、ＲＡＭ（Random Access Memory）１３０、読取処理部１４０、圧縮ＩＣ１５０、ＤＲＡＭ（Dynamic Random Access Memory）制御ＩＣ１６０、画像メモリ１７０、伸長ＩＣ１８０、書込処理部１９０から構成される。
【００２９】
制御部１１０は、ＣＰＵ（Central Processing Unit）等から構成され、不揮発メモリ１２０に格納されているシステムプログラム及び各種アプリケーションプログラム、各種データの中から指定されたプログラムやデータを読み出してＲＡＭ１３０に展開し、ＲＡＭ１３０に展開されたプログラムとの協働で、各種処理を実行し、画像形成装置１の各部を集中制御する。例えば、操作表示部３０や外部装置２から入力される指示信号に従って、コピーモード、プリンタモード、スキャナモードを切り替え、複写、プリント、画像データの読取等の制御を行う。
【００３０】
制御部１１０は、不揮発メモリ１２０から本実施の形態に係るジョブリスト表示処理プログラム、ＲＡＭ１３０に記憶されている各ジョブのジョブ情報等の各種データを読み出し、当該プログラム及び各種データとの協働により、
排紙トレイＴ３毎に設けられた排紙検出センサ５１及び積載検出センサ５２からの検出信号と、各ジョブのジョブ情報に含まれる排紙トレイを示す情報及び排紙予定の用紙枚数と、に基づいて、実行される際に指定された排紙トレイに排紙不可となるジョブを判定し、当該判定結果を操作表示部３０のＬＣＤ３１上に表示されるジョブリスト画面に表示せて報知させる処理を制御する。
【００３１】
不揮発メモリ１２０は、画像形成に係る各種処理プログラム及びデータの他、本実施の形態に係るジョブリスト表示処理プログラム、排紙トレイ毎に予め設定された積載可能な最大の用紙枚数（積載上限枚数）、各種プログラムで処理されたデータ、各部の初期値等の各種データを記憶する。
【００３２】
ＲＡＭ１３０は、制御部１１０により実行される各種プログラム及びこれらプログラムに係るデータ、実行中のジョブのジョブを含む実行が完了していないジョブ（予約ジョブ）のジョブ情報、排紙トレイ毎に積載されている用紙枚数（積載枚数）を一時的に記憶するワークエリアを形成する。
【００３３】
各ジョブ情報は、排紙トレイを示す情報、排紙予定の用紙枚数、画像データ、その他ジョブ実行に係る設定情報等の各種データに加え、実行予定順番を示す情報が付加されて記憶されている。この実行予定順番は、予約ジョブが受け付けられた順番に付加されるが、操作表示部３０又は外部装置２からの指示に基づいて変更可能である。
【００３４】
また、積載枚数は、排紙トレイ毎に、積載検出センサ５２からの検出信号が用紙無しを示してから排紙検出センサ５１によって検出された用紙の枚数をカウントして得られた値とする。
【００３５】
読取処理部１４０は、画像読取部２０の画像読取制御部２００から入力されるアナログ画像信号に、アナログ処理、Ａ／Ｄ変換処理、シェーディング処理等の各種処理を施した後、デジタル画像データを生成する。生成された画像データは、圧縮ＩＣ１５０に出力される。
【００３６】
圧縮ＩＣ１５０は、入力されたデジタル画像データに圧縮処理を施してＤＲＡＭ制御ＩＣ１６０に出力する。
【００３７】
ＤＲＡＭ制御ＩＣ１６０は、制御部１１０からの指示に従って、圧縮ＩＣ１５０による画像データの圧縮処理及び伸長ＩＣ１８０による圧縮画像データの伸長処理を制御するとともに、画像メモリ１７０への画像データの入出力制御を行う。例えば、画像読取部２０により読み取られた画像信号の保存が指示されると、読取処理部１４０から入力された画像データの圧縮処理を圧縮ＩＣ１５０により実行させて、圧縮画像データを画像メモリ１７０の圧縮メモリ１７１に格納させる。また、圧縮メモリ１７１に格納された圧縮画像データのプリント出力が指示されると、圧縮メモリ１７１から圧縮画像データを読み出し、伸長ＩＣ１８０により伸長処理を施してページメモリ１７２に格納させる。さらに、ページメモリ１７２に格納された画像データのプリント出力が指示されると、ページメモリ１７２から画像データを読み出して書込処理部１９０に出力する。
【００３８】
画像メモリ１７０は、ＤＲＡＭ（Dynamic RAM）から構成される圧縮メモリ１７１とページメモリ１７２とを備える。圧縮メモリ１７１は、圧縮画像データを格納するためのメモリであり、ページメモリ１７２は、プリント出力用の画像データ（プリントデータ）を一時的に格納するためのメモリである。
【００３９】
伸長ＩＣ１８０は、圧縮画像データに伸長処理を施す。
【００４０】
書込処理部１９０は、ＤＲＡＭ制御ＩＣ１６０から入力された画像データに基づいて、画像形成のためのプリントデータを生成し、プリント部４０に出力する。
【００４１】
画像読取部２０は、ＣＣＤ２２ａ、画像読取制御部２００、その他ここでは図示しないが図１に示した自動原稿送り部２１、読取部２２等から構成される。画像読取制御部２００は、自動原稿送り部２１、読取部２２等を制御して、原稿面の露光走査を実行させ、光の反射光をＣＣＤ２２ａにより光電変換を行わせて画像を読み取る。読み取られたアナログ画像信号は読取処理部１４０に出力される。
【００４２】
操作表示部３０は、ＬＣＤ３１、操作表示制御部３００、その他図示しないタッチパネル、テンキー等の操作キー群から構成される。操作表示制御部３００は、制御部１１０から入力される表示信号に従って、各種設定条件を入力するための各種設定画面、図５、図６に示すようなジョブリスト画面や各種処理結果等をＬＣＤ３１に表示させる。また、操作表示制御部３００は、操作キー群又はタッチパネルから入力される操作信号を制御部１１０に出力する。
【００４３】
プリント部４０は、図１に示した画像形成部４３等のプリント出力に係る各部やプリント制御部４００を備えて構成される。プリント制御部４００は、制御部１１０からの指示に従って画像形成部４３等のプリント部４０の各部の動作を制御し、書込処理部１９０から入力されたプリントデータに基づいて用紙Ｐに画像形成を行わせると共に、制御部１１０からの指示に従って後処理部５０の各部を動作させる指示信号を後処理制御部５００に出力する。
【００４４】
後処理部５０は、ここでは図示しないが各種後処理ユニット等と、各種後処理ユニットへ用紙を搬送する搬送ローラ等の搬送手段、複数の排紙トレイＴ３と、各排紙トレイＴ３に設けられた排紙検出センサ５１及び積載検出センサ５２と、を備えており、各種後処理ユニットや各排紙トレイＴ３は後処理制御部５００により統括的に制御されている。後処理制御部５００は、制御部１１０からプリント制御部４００を介して入力される後処理の指示信号に応じて、用紙Ｐを搬送経路に沿って所定の後処理ユニットに搬送し、各部を駆動制御して用紙Ｐに所定の後処理を行わせ、排紙トレイＴ３に排紙させる制御を行うと共に、各排紙トレイＴ３に設けられている排紙検出センサ５１及び積載検出センサ５２から検出される検出信号を制御部１１０に出力する。
【００４５】
次に、プリンタコントローラ１ｂの各部について説明する。プリンタコントローラ１ｂは、画像形成装置１をネットワークプリンタとして使用する場合に、ネットワーク３に接続される外部装置２から画像形成装置１に入力されるジョブの管理及び制御を行うものであり、外部装置２からプリント対象のデータを受信し、当該データをジョブとして本体部１ａへ送信する。
【００４６】
プリンタコントローラ１ｂは、コントローラ制御部１１、ＤＲＡＭ制御ＩＣ１２、画像メモリ１３、ＬＡＮＩＦ１４から構成される。
【００４７】
コントローラ制御部１１は、プリンタコントローラ１ｂ各部の動作を統括的に制御し、ＬＡＮＩＦ１４を介して、外部装置２から入力されるデータをジョブとして本体部１ａへ送信する。
【００４８】
ＤＲＡＭ制御ＩＣ１２は、ＬＡＮＩＦ１４により受信されたデータの画像メモリ１３への格納や、画像メモリ１３からのデータの読み出しを制御する。また、ＤＲＡＭ制御ＩＣ１２は、画像制御基板１００のＤＲＡＭ制御ＩＣ１６０とＰＣＩ（Peripheral Components Interconnect）バスで接続されており、コントローラ制御部１１からの指示に従って、プリント対象のデータを画像メモリ１３から読み出してＤＲＡＭ制御ＩＣ１６０に出力する。
【００４９】
画像メモリ１３は、ＤＲＡＭから構成され、入力された出力データを一時的に格納する。
【００５０】
ＬＡＮＩＦ１４は、ＮＩＣ（Network Interface Card）やモデム等のＬＡＮ等のネットワーク３に接続するための通信インターフェイスであり、外部装置２からデータを受信する。受信されたデータは、ＤＲＡＭ制御ＩＣ１２に出力される。
【００５１】
次に、本実施の形態の動作を説明する。
図３に、本実施の形態におけるジョブリスト表示処理のフローチャートを示し、また、図４に、図３に示す処理中に用いられる各種用紙枚数のイメージ図を示す。図３に示すフローチャートは、制御部１１０によって実行される処理である。
【００５２】
制御部１１０は、新たなジョブのジョブ情報がＲＡＭ１３０に記憶されたか否か、即ち、新規の予約ジョブのジョブ情報がＲＡＭ１３０にあるか否かを判別する（ステップＳ１）。
【００５３】
制御部１１０は、新規の予約ジョブがない場合（ステップＳ１；Ｎｏ）、ＲＡＭ１３０に記憶されている予約ジョブのジョブ情報のうちいずれかの予約ジョブのジョブ情報が、操作表示部３０又は外部装置２からの指示により削除されたか否かを判別する（ステップＳ２）。
【００５４】
制御部１１０は、ＲＡＭ１３０に記憶されている予約ジョブのジョブ情報のうちいずれも削除されていない場合（ステップＳ２；Ｎｏ）、ＲＡＭ１３０に記憶されているジョブ情報の実行予定順番が、操作表示部３０又は外部装置２からの指示等によって変更されたか否かを判別する（ステップＳ３）。
【００５５】
制御部１１０は、ＲＡＭ１３０に記憶されているジョブ情報の実行予定順番に変更がない場合（ステップＳ３；Ｎｏ）、排紙トレイＴ３に積載されている用紙枚数に変化が生じたか否か、即ち、排紙検出センサ５１又は積載検出センサ５２からの検出信号が変化したかを判別し（ステップＳ４）、排紙トレイＴ３に積載されている用紙枚数が変化していない場合（ステップＳ４；Ｎｏ）、本処理を終了する。
【００５６】
制御部１１０は、排紙トレイＴ３に積載されている用紙枚数が変化した場合、即ち、排紙検出センサ５１又は積載検出センサ５２からの検出信号が変化した排紙トレイがある場合（ステップＳ４；Ｙｅｓ）、用紙枚数が変化した排紙トレイの積載枚数Ａを更新する（ステップＳ５）。
【００５７】
ステップＳ５における処理としては、例えば、積載検出センサ５２から検出された検出信号が用紙無しである場合、当該積載検出センサ５２が設けられた排紙トレイＴ３に積載されていた用紙が取り除かれたと判別し、当該排紙トレイＴ３の積載枚数Ａを０に更新する。また、積載検出センサ５２から検出された検出信号が用紙有りであり、かつ、排紙検出センサ５１から検出された検出信号が用紙の通過の有と検出した場合、当該排紙検出センサ５１が設けられた排紙トレイＴ３に用紙が１枚排紙されたと判別し、当該排紙トレイＴ３の積載枚数Ａに１を加算して更新する。
【００５８】
なお、排紙検出センサ５１を用いずとも、用紙の排紙信号等の制御信号に基づいて用紙が１枚排紙されたと判別してもよい。
【００５９】
制御部１１０は、新規の予約ジョブがある場合（ステップＳ１；Ｙｅｓ）、ＲＡＭ１３０に記憶されている予約ジョブのジョブ情報のうちいずれかが削除された場合（ステップＳ２；Ｙｅｓ）、ＲＡＭ１３０に記憶されているジョブ情報の実行予定順番に変更がある場合（ステップＳ３；Ｙｅｓ）、排紙検出センサ５１又は積載検出センサ５２からの検出信号が変化した排紙トレイがあり、当該排紙トレイの積載枚数Ａを更新した後（ステップＳ５後）、のいずれかの場合において、各排紙トレイＴ３の排紙予定総数Ｂを算出する（ステップＳ６）。
【００６０】
ステップＳ６における各排紙トレイＴ３の排紙予定総数Ｂの算出としては、ＲＡＭ１３０に記憶されている各予約ジョブのジョブ情報の排紙トレイの指定情報及び排紙予定の用紙枚数に基づいて、排紙トレイ毎に排紙予定の用紙の枚数として排紙予定総数Ｂを算出するものである。例えば、各予約ジョブのジョブ情報に基づいて排紙予定の用紙枚数（排紙予定枚数）を読み出し、各予約ジョブのジョブ情報の排紙トレイの指定情報により、排紙トレイ毎に当該排紙トレイを指定している予約ジョブの排紙予定枚数（ｂ１、ｂ２、ｂ３・・・ｂｎ）を合算し、各排紙トレイの排紙予定総数Ｂを算出することができる。
【００６１】
制御部１１０は、ステップＳ６後、排紙トレイ毎に、ＲＡＭ１３０に記憶している積載枚数Ａとステップ６において算出した排紙予定総数Ｂとを加算し、各排紙トレイの積載予定総数Ｃを算出する（ステップＳ７）。
【００６２】
制御部１１０は、排紙トレイ毎に、ステップＳ７において算出した積載予定総数Ｃと、積載上限枚数Ｄとを比較し、積載上限枚数Ｄよりも積載予定総数Ｃが多い排紙トレイを積載超過トレイと判別する処理を行う（ステップＳ８）。
【００６３】
制御部１１０は、ステップＳ８の処理結果において、積載超過トレイがあるか否かを判別し（ステップＳ９）、積載超過トレイがない場合（ステップＳ９；Ｎｏ）、本処理を終了する。
【００６４】
制御部１１０は、積載超過トレイがある場合（ステップＳ９；Ｙｅｓ）、積載超過予定ジョブの特定を行なう処理を実行する（ステップＳ１０）。
【００６５】
ステップＳ１０における処理としては、例えば、積載超過トレイの排紙トレイの積載上限枚数Ｄから当該排紙トレイの積載枚数Ａを減算した用紙の枚数としての積載可能枚数Ｅを算出する。そして、算出した積載可能枚数Ｅと、当該積載超過トレイを指定した予約ジョブのうちの実行予定順番が速いジョブの排紙予定枚数を順次加算した枚数と、を比較し、順次加算した枚数が積載可能枚数Ｅよりも多くなったときの最終番目の予約ジョブ以降の実行予定順番の予約ジョブを実行される際に指定された排紙トレイに排紙不可となるジョブ、即ち、積載超過予定ジョブとして判定する。
【００６６】
ステップＳ１０において、図４を例として挙げて説明する。
積載超過トレイを排紙トレイに指定した予約ジョブがｎジョブあり、各予約ジョブの排紙予定枚数がそれぞれ実行予定順番の速い順番に、ｂ１、ｂ２、ｂ３・・・ｂｎであるとする。まず、当該積載超過トレイの積載可能枚数Ｅと最も実行予定順番が速い予約ジョブの排紙予定枚数ｂ１とが比較され、積載可能枚数Ｅが当該予約ジョブの排紙予定枚数ｂ１よりも多いため、当該予約ジョブは積載超過予定ジョブではないと判定される。
【００６７】
次に、積載超過ジョブではないと判定された排紙予定枚数ｂ１の予約ジョブの次に実行される予約ジョブの排紙予定枚数ｂ２と積載超過ジョブではないと判定された予約ジョブの排紙予定枚数ｂ１とが加算された枚数と、積載可能枚数Ｅとが比較され、積載可能枚数Ｅが排紙予定枚数ｂ１＋ｂ２よりも多いため、積載超過ジョブではないと判定された排紙予定枚数ｂ１の予約ジョブの次に実行される排紙予定枚数ｂ２の予約ジョブは、積載超過予定ジョブではないと判定される。
【００６８】
更に、積載超過ジョブではないと判定された排紙予定枚数ｂ２の予約ジョブの次に実行される予約ジョブの排紙予定枚数ｂ３と積載超過ジョブではないと判定された予約ジョブの排紙予定枚数ｂ１及びｂ２とが加算された枚数と、積載可能枚数Ｅとが比較されると、加算された排紙枚数ｂ１＋ｂ２＋ｂ３が積載可能枚数Ｅよりも多くなる。このときの最終番目の予約ジョブ、即ち、排紙予定枚数ｂ３の予約ジョブ、以降の実行予定順番の予約ジョブ（排紙予定枚数ｂ３〜ｂｎの予約ジョブ）を実行される際に指定された排紙トレイに排紙不可となるジョブ、即ち、積載超過予定ジョブとして判定する。
【００６９】
このように、ステップＳ５〜Ｓ１０により、積載検出センサ５２からの検出信号と、ジョブ情報と、各排紙トレイの積載上限枚数Ｄとに基づいて、実行される際に指定された排紙トレイに排紙不可となるジョブを判定することができる。
【００７０】
制御部１１０は、積載超過予定ジョブを行なう処理の実行完了の後（ステップＳ１０後）、当該積載超過予定ジョブとして判定された予約ジョブが実行される際に指定された排紙トレイに排紙不可となるジョブである旨及び当該予約ジョブに指定された排紙トレイを示す情報を含むジョブリスト画面を操作表示部３０のＬＣＤ３１に表示させ（ステップＳ１１）、本処理を終了する。
【００７１】
なお、操作表示部３０によりジョブリスト画面の表示の指示が入力された場合、本ジョブリスト表示処理のステップＳ６から実行されるものであってもよい。
【００７２】
図５に、ジョブリスト画面Ｇ１の例を示し、図６に図５に示したジョブリスト画面Ｇ１においてジョブの実行予定順番が変更されたジョブリスト画面Ｇ１の例を示す。
【００７３】
図５、図６に示すように、ジョブリスト画面Ｇ１は、各予約ジョブのジョブ情報の内容が実行予定順番に従って表示される表示エリアＥ１と、表示エリアＥ１に表示されている予約ジョブのうち選択された予約ジョブの実行予定順番の変更指示を受け付ける順番変更ボタンＢ１１、Ｂ１２と、表示エリアＥ１に表示されている予約ジョブのうち選択された予約ジョブを削除する削除ボタンＢ１３等を備える。
【００７４】
表示エリアＥ１は、各予約ジョブのジョブ情報の内容を示す領域として、各予約ジョブを識別するジョブ番号を示すジョブ番号領域Ｅ１１、各予約ジョブのモード（プリントモード、コピーモード等）を示すモード領域Ｅ１２、排紙トレイの状態を示す出力トレイ領域Ｅ１３、排紙予定枚数を示す枚数領域Ｅ１４、排紙予定部数を示す部数領域Ｅ１５、未排紙の用紙枚数を示す残枚数領域Ｅ１６、ジョブ実行に要する時間を示す時間領域Ｅ１７等である。
【００７５】
出力トレイ領域Ｅ１３には、各予約ジョブの設定された排紙トレイの状態が表示されており、指定された排紙トレイに排紙可能であるジョブは、当該出力トレイ領域Ｅ１３に「出力可能」と表示され、指定された排紙トレイに排紙不可である予約ジョブ（積載超過予定ジョブと判定された予約ジョブ）は、指定された排紙トレイを示す情報（例えば、「トレイ１」）及び当該排紙トレイに排紙不可である旨（例えば、「満杯」）が表示される。
【００７６】
図５のジョブリスト画面Ｇ１では、ジョブ番号「００１７」の予約ジョブが出力トレイ「トレイ１満杯」、ジョブ番号「００１９」の予約ジョブが出力トレイ「トレイ２満杯」と、それぞれ表示されている。このことから、ジョブ番号「００１７」、「００１９」の予約ジョブは、指定された排紙トレイ「トレイ１」、「トレイ２」が「満杯」となり排紙不可になる旨が表示されることとなる。その他のジョブ番号の予約ジョブは、出力トレイ「出力可能」又は「出力中」と表示されていることから、排紙可能であることが表示されることとなる。
【００７７】
図５のジョブリスト画面Ｇ１が表示された状態において、ジョブ番号が「００２０」の予約ジョブの実行予定順番が順番変更ボタンＢ１１、Ｂ１２により変更されると、本実施の形態におけるジョブリスト表示処理が実行され、図６に示すようなジョブリスト場面Ｇ１が表示されることとなる。
【００７８】
以上のように、本実施の形態によれば、ジョブが実行される際に指定された排紙トレイに排紙不可か否かの判定結果を表示することができるため、事前に当該判定結果に応じて排紙可となるような処置（例えば、排紙トレイ上の用紙を取り除く、排紙トレイを変更する、実行予定順番を変更する等）を講じさせる機会をユーザに与えることができ、ジョブに指定された排紙トレイが排紙不可となって実行が停止されることを事前に防止して効率的に稼動させることができる。
【００７９】
特に、積載検出センサ５２からの検出信号が変化した場合、新たなジョブのジョブ情報がＲＡＭ１３０に記憶された場合、ＲＡＭ１３０に記憶されているジョブ情報が削除された場合、ＲＡＭ１３０に記憶されているジョブ情報の実行予定順番に変更がある場合、のいずれかの場合、即ち、排紙トレイの状態（積載される用紙枚数）に変化が生じる恐れがある度に、実行される際に指定された排紙トレイに排紙不可となるジョブの判定結果を表示でき、事前に当該判定結果に応じて排紙可となるような処置を講じさせる機会を増やすことができ、効率的な稼動を図ることができる。
【００８０】
更に、ジョブリスト画面Ｇ１の出力トレイの欄に表示された排紙不可となる排紙トレイを示す情報に基づいて、排紙可となるような処置を講じさせやすくすることができる。
【００８１】
なお、以上の説明では、本実施の形態に係るプログラムのコンピュータ読み取り可能な媒体として、不揮発メモリ１２０を使用した例を開示したが、この例に限定されない。その他のコンピュータ読み取り可能な媒体として、フラッシュメモリ等の不揮発性メモリ、ＣＤ-ＲＯＭ等の可搬型記録媒体を適用することが可能である。また、本実施の形態に係るプログラムのデータを通信回線を介して提供する媒体として、キャリアウエーブ(搬送波)も適用される。
【００８２】
また、本発明は、上記実施の形態の内容に限定されるものではなく、本発明の主旨を逸脱しない範囲で適宜変更可能である。
【図面の簡単な説明】
【００８３】
【図１】画像形成装置の概略断面構成図である。
【図２】画像形成装置の制御ブロック図である。
【図３】ジョブリスト表示処理のフローチャートである。
【図４】図３に示す処理中に用いられる各種用紙枚数のイメージ図である。
【図５】ジョブリスト画面の例を示す図である。
【図６】図５に示したジョブリスト画面においてジョブの実行予定順番が変更されたジョブリスト画面の例を示す図である。
【符号の説明】
【００８４】
１  画像形成装置
１ａ  本体部
１ｂ  プリンタコントローラ
２  外部装置
３  ネットワーク
１１  コントローラ制御部
１２  ＤＲＡＭ制御ＩＣ
１３  画像メモリ
１４  ＬＡＮＩＦ
２０  画像読取部
２１  自動原稿送り部
２２  読取部
２２ａ  ＣＣＤ
３０  操作表示部
３１  ＬＣＤ
４０  プリント部
４１  給紙部
４１ａ  給紙トレイ
４１ｂ  給紙手段
４２  給紙搬送部
４２ａ  レジストローラ
４３  画像形成部
４３ａ  転写装置
４３ｂ  定着装置
４４  搬出部
５０  後処理部
５１  排紙検出センサ
５２  積載検出センサ
１００  画像制御基板
１１０  制御部
１２０  不揮発メモリ
１３０  ＲＡＭ
１４０  読取処理部
１５０  圧縮ＩＣ
１６０  ＤＲＡＭ制御ＩＣ
１７０  画像メモリ
１７１  圧縮メモリ
１７２  ページメモリ
１８０  伸長ＩＣ
１９０  書込処理部
２００  画像読取制御部
３００  操作表示制御部
４００  プリント制御部
５００  後処理制御部
Ｂ１１  順番変更ボタン
Ｂ１２  順番変更ボタン
Ｂ１３  削除ボタン
ｄ  原稿
Ｅ１  表示エリア
Ｅ１１  ジョブ番号領域
Ｅ１２  モード領域
Ｅ１３  出力トレイ領域
Ｅ１４  枚数領域
Ｅ１５  部数領域
Ｅ１６  残枚数領域
Ｅ１７  時間領域
Ｇ１  ジョブリスト画面
Ｐ  用紙
Ｔ１  原稿トレイ
Ｔ２  手差しトレイ
Ｔ３  排紙トレイ
【図１】
0005130888.tif 000002
【図２】
0005130888.tif 000003
【図３】
0005130888.tif 000004
【図４】
0005130888.tif 000005
【図５】
0005130888.tif 000006
【図６】
0005130888.tif 000007